(57)【要約】【課題】  複数サイトのデータを上位監視装置に集約し、この上位監視装置に常駐している監視員がこれら複数サイトを監視していたが、この監視員への負荷が集中し、また問題が生じたサイトにサービスマンを移動させるために時間およびコストがかかるという課題を解決する。【解決手段】  監視対象サイトのそれぞれに監視装置を設置し、この監視装置でサイトのデータおよび操作履歴を収集して保存すると共にこのデータを表示し、また上位監視装置の要求により、このデータと操作履歴を上位監視装置に送信して、上位監視装置で表示、格納し、また予測等の高度な監視を行うようにした。各サイト固有の監視はこのサイトに常駐している標準監視員が行うことができるので、上位監視装置に常駐する熟練監視員に負荷が集中することがなくなり、監視するサイト数を増やすことができる。【選択図】                    図２
2008040648.tif 000002
【特許請求の範囲】
【請求項１】
複数の監視対象サイトの各々に配置された監視装置によって当該サイトのデータを収集し、この収集したデータを上位監視装置に集約して監視する階層型遠隔監視システムにおいて、
前記監視装置に配置され、この監視装置が配置されているサイトのデータおよび操作履歴、および前記上位監視装置の操作履歴が格納されるサイトデータベースと、
前記監視装置内に配置され、前記サイトのデータを収集して前記サイトデータベースに格納するデータ収集部と、
前記監視装置に配置され、前記データ収集部が収集したデータが入力され、このデータおよび前記サイトデータベースに格納されたデータおよび操作履歴を表示すると共に、当該監視装置の操作履歴を前記サイトデータベースに格納するデータ監視部と、
前記上位監視装置に配置され、前記監視装置から送られてくるデータおよび操作履歴、この上位監視装置の操作履歴を格納する上位データベースと、
前記上位監視装置に配置され、前記監視装置から送られてきたデータおよび／または前記上位データベースに格納された操作履歴を表示すると共に、当該上位監視装置の操作履歴を前記上位データベースに格納する監視部と、
を具備したことを特徴とする階層型遠隔監視システム。
【請求項２】
前記監視装置に配置され、要求に応じて前記サイトデータベースに格納されたデータおよび操作履歴を前記上位監視装置に送信し、前記上位監視装置の操作履歴を前記サイトデータベースに格納するサイトデータ送受信部を有し、
前記サイトデータ送受信部は他の監視装置にデータおよび／または操作履歴の送信を要求し、他の監視装置から送られてきたデータおよび／または操作履歴を前記サイトデータベースに格納すると共に、前記データ監視部は前記サイトデータベースに格納された他の監視装置のデータおよび／または操作履歴を読み出して表示するようにしたことを特徴とする請求項１記載の階層型遠隔監視システム。
【請求項３】
前記上位監視装置は診断部を具備し、この診断部は前記上位データベースに格納されたデータを用いて、前記監視装置を診断するようにしたことを特徴とする請求項１若しくは請求項２記載の階層型遠隔監視システム。
【請求項４】
前記診断部は、前記サイトデータ送受信部を経由して、診断に必要なデータを取得できるようにしたことを特徴とする請求項３記載の階層型遠隔監視システム。
【請求項５】
複数のプラントの各々に前記監視装置を配置し、集中監視センターに前記上位監視装置を配置して、前記複数のプラントを監視するようにしたことを特徴とする請求項１乃至請求項４いずれかに記載の階層型集中監視システム。
【発明の詳細な説明】
【技術分野】
【０００１】
本発明は、分散して配置された複数のサイトを階層的に監視する遠隔監視システムにおいて、特にプラント監視に用いて好適な階層型遠隔監視システムに関するものである。
【背景技術】
【０００２】
分散して配置された複数のサイトを監視する場合、各サイトには監視員を置かないで、これらのサイトで収集したデータを上位監視装置で収集して監視することが行われている。図４にこのような監視システムの構成を示す。
【０００３】
図４において、１０は上位監視装置、３０ａ〜３０ｄは監視対象のサイトである。サイト３０ａ〜３０ｄにはそれぞれ監視装置３１ａ〜３１ｄが置かれ、監視対象である被監視部３２ａ〜３２ｄからデータを収集する。この収集したデータは上位監視装置１０に集められ、データベース１１に格納される。監視装置３１ａ〜３１ｄでは、事前に決められたデータを定期的に上位監視装置１０に送信するアプリケーションが稼働しており、このアプリケーションがサイトからデータを収集して、この収集したデータを上位監視装置１０に送信する。
【０００４】
上位監視装置１０には、サイト３０ａ〜３０ｄを監視する監視員１２が常駐しており、これらのサイトを監視すると共に異常事態に対応する。この監視員１２は、サイト３０ａ〜３０ｄに精通し、かつ異常事態に対処しなければならないので、高度な技術を持った熟練監視員でなければならない。この熟練監視員１２は、サイト３０ａ〜３０ｄから送られてきたデータに基づいてこれらのサイトの状態を把握し、また監視してサイトの状態を判断する。
【０００５】
熟練監視員１２の診断あるいは判断により、サイト３０ａ〜３０ｄに対して対応しなければならないときは、サービスサイト２０ａ、２０ｂに常駐しているサービスマン２１ａ、２１ｂが当該サイトを訪問し、現場の機器に対して必要な対策を行う。
【０００６】
なお、ここで言う監視とはサイト全体を監視するのではなく、監視対象のサイトにある同種の機器や装置を監視することを想定している。また、監視装置３１ａ〜３１ｄで動作するデータ収集アプリケーションの代わりに、Ｗｉｎｄｏｗｓ（登録商標）上で動作するターミナルサービス(Terminal Service)のように、各サイトにおいてリモートで動作するアプリケーションを用いてデータを監視するようにすることも行われている。
【特許文献１】特開２００５−００４３６７号公報
【発明の開示】
【発明が解決しようとする課題】
【０００７】
しかしながら、このような監視システムでは、上位監視装置１０に常駐する熟練監視員１２は監視する全サイトの構成や動作を熟知していなければならないという課題があった。また、複数のサイトで同時に監視しなければならない事態が発生すると、熟練監視員１２の負荷が増大してしまうという課題もあった。
【０００８】
また、監視対象のサイトで問題が発生するとサービスマン２１ａ、２１ｂがそのサイトに出向かなければならないが、そのために移動時間やコストがかかるという課題もあった。
【０００９】
また、上位監視装置１０で収集できる情報は予め選択された情報のみであり、新たな情報が必要になっても、それを収集することは困難であった。そのため、熟練監視員１２は限られた情報のみでサイトの状態を推測しなければならないという課題もあった。さらに、熟練監視員１２が業務で得た経験やノウハウを、他の監視員に引き継ぐことが難しいという課題もあった。
【００１０】
従って本発明の目的は、階層的な構成で複数のサイトを監視することにより、熟練監視員に負担が集中することがない階層型遠隔監視システムを提供することにある。
【課題を解決するための手段】
【００１１】
このような課題を達成するために、本発明のうち請求項１記載の発明は、
複数の監視対象サイトの各々に配置された監視装置によって当該サイトのデータを収集し、この収集したデータを上位監視装置に集約して監視する階層型遠隔監視システムにおいて、
前記監視装置に配置され、この監視装置が配置されているサイトのデータおよび操作履歴、および前記上位監視装置の操作履歴が格納されるサイトデータベースと、
前記監視装置内に配置され、前記サイトのデータを収集して前記サイトデータベースに格納するデータ収集部と、
前記監視装置に配置され、前記データ収集部が収集したデータが入力され、このデータおよび前記サイトデータベースに格納されたデータおよび操作履歴を表示すると共に、当該監視装置の操作履歴を前記サイトデータベースに格納するデータ監視部と、
前記上位監視装置に配置され、前記監視装置から送られてくるデータおよび操作履歴、
この上位監視装置の操作履歴を格納する上位データベースと、
前記上位監視装置に配置され、前記監視装置から送られてきたデータおよび／または前記上位データベースに格納された操作履歴を表示すると共に、当該上位監視装置の操作履歴を前記上位データベースに格納する監視部と、
を具備したものである。上位監視装置に常駐する熟練監視員への負荷集中を防止できる。
【００１２】
請求項２記載の発明は、請求項１記載の発明において、
前記監視装置に配置され、要求に応じて前記サイトデータベースに格納されたデータおよび操作履歴を前記上位監視装置に送信し、前記上位監視装置の操作履歴を前記サイトデータベースに格納するサイトデータ送受信部を有し、
前記サイトデータ送受信部は他の監視装置にデータおよび／または操作履歴の送信を要求し、他の監視装置から送られてきたデータおよび／または操作履歴を前記サイトデータベースに格納すると共に、前記データ監視部は前記サイトデータベースに格納された他の監視装置のデータおよび／または操作履歴を読み出して表示するようにしたものである。他のサイトの状態知ることができる。
【００１３】
請求項３記載の発明は、請求項１若しくは請求項２記載の発明において、
前記上位監視装置は診断部を具備し、この診断部は前記上位データベースに格納されたデータを用いて、前記監視装置を診断するようにしたものである。予測等より高度な監視ができる。
【００１４】
請求項４記載の発明は、請求項３記載の発明において、
前記診断部は、前記サイトデータ送受信部を経由して、診断に必要なデータを取得できるようにしたものである。より高度な診断ができる。
【００１５】
請求項５記載の発明は、請求項１乃至請求項４いずれかに記載の発明において、
複数のプラントの各々に前記監視装置を配置し、集中監視センターに前記上位監視装置を配置して、前記複数のプラントを監視するようにしたものである。複数のプラントを監視できる。
【発明の効果】
【００１６】
以上説明したことから明らかなように、本発明によれば次のような効果がある。
請求項１，２、３、４および５の発明によれば、監視対象サイトのそれぞれに監視装置を設置し、この監視装置でサイトのデータおよび操作履歴を収集して保存すると共にこのデータを表示し、また上位監視装置の要求により、このデータと操作履歴を上位監視装置に送信して、上位監視装置で表示、格納し、また予測等の高度な監視を行うようにした。
【００１７】
各サイトに設置された監視装置にデータを表示することにより、サイト固有の監視はサイトに常駐している標準監視員に任せることができる。そのため、上位監視装置に常駐している熟練監視員の負荷が軽減し、より高度な監視を行うことができるという効果がある。また、サービスマンの移動時間や移動コストを削減することができるという効果もある。
【００１８】
また、上位監視装置に常駐している熟練監視員の操作履歴を、各サイトに設置された監視装置に表示することにより、熟練監視員と監視ノウハウを共有し、また受け継ぐことができるという効果もある。
【００１９】
また、上位監視装置に診断部を設けることにより、予測等高度な監視を行うことができる。診断部が診断に必要なデータを指定して取得することができるようにすることにより、より高度な診断ができるという効果もある。
【００２０】
さらに、監視装置のデータや操作履歴を他の監視装置に送信することにより、他の監視装置の状況を把握することができ、かつデータを共有することができるという効果もある。
【発明を実施するための最良の形態】
【００２１】
以下本発明を図面を用いて詳細に説明する。図１は本発明に係る階層型遠隔監視システムの概念図である。なお、図４と同じ要素には同一符号を付し、説明を省略する。図１において、４０は上位監視装置であり、上位データベース４１が内蔵されている。また、熟練監視員１２が常駐している。熟練監視員１２は複数のサイトを束ねて監視することができる高度な技術を保持し、診断や予測等高度な監視作業を行う監視員である。
【００２２】
５１ａ〜５１ｎはそれぞれ監視対象サイト５０ａ〜５０ｎに置かれた監視装置であり、それぞれサイトデータベース５５ａ〜５５ｎを内蔵している。また、各サイト５０ａ〜５０ｎには、それぞれ標準監視員５７ａ〜５７ｎが常駐している。標準監視員５７ａ〜５７ｎは一般レベル程度の技術を有する監視員であり、主として担当しているサイトのみ監視する。なお、サイトの数は、必要に応じて増減できる。
【００２３】
サイト５０ａ〜５０ｎの基本的な監視は、これらのサイトに常駐している標準監視員５７ａ〜５７ｎが行う。また、高度な判断や診断、予測が必要な監視は、上位監視装置４０に常駐している熟練監視員１２が行う。
【００２４】
上位監視装置４０および監視装置５１ａ〜５１ｎでは、それぞれサービスとして提供されているデータ収集プログラムが動作している。このプログラムにより、定期的にサイト５０ａ〜５０ｎの情報が上位監視装置４０に送信され、上位データベース４１に格納される。また、上位監視装置４０で動作する診断アプリケーション４２を用い、サイト５０ａ〜５０ｎにリクエストして、必要な情報を送信させることもできる。熟練監視員１２が上位データベース４１に保存されていないデータが必要になったときは、標準監視員５７ａ〜５７ｎに問い合わせればよいので、上位データベース４１に格納するデータは、必要最小限でよい。
【００２５】
また、熟練監視員１２がどのような情報に着目して監視しているか、あるいは、ある状況でどのような判断を行ったかの履歴やノウハウである操作履歴は上位監視装置４０から監視装置５１ａ〜５１ｎに送信され、データベース５５ａ〜５５ｎに履歴情報として格納される。このため、標準監視員５７ａ〜５７ｎは熟練監視員１２と情報を共有することができ、かつ熟練監視員１２のノウハウを学ぶことができる。また、必要に応じて監視装置５１ａ〜５１ｎのデータや操作履歴を相互に共有することもできる。
【００２６】
次に、図２を用いて上位監視装置４０とサイト５０ａ〜５０ｎを詳細に説明する。なお、図１と同じ要素には同一符号を付し、説明を省略する。また、サイト５０ａ〜５０ｎは同じ構成なので、ａ〜ｎを省いた符号を用いる。図２では１つのサイト５０しか記載されていないが、実際には複数のサイトが上位監視装置４０に接続される。
【００２７】
図２において、上位監視装置４０は、上位データベース４１、診断部４２、監視部４３および上位データ送受信部４４で構成されている。なお、診断部４２では診断アプリケーションが動作している。また、サイト５０は監視装置５１と、監視対象である被監視部５６で構成されている。監視装置５１は、サイトデータ送受信部５２、データ監視部５３、データ収集部５４およびサイトデータベース５５で構成されている。
【００２８】
データ収集部５４は被監視部５６を監視してデータを収集する。この収集したデータはサイトデータベース５５に保存され、またデータ監視部５３に送られる。データ監視部５３は、データ収集部５４から送られてきたデータあるいはサイトデータベース５５から読み出したデータを表示して、標準監視員５７に提供する。また、標準監視員５７の操作履歴をデータベース５５に保存すると共に、データベース５５から過去の操作履歴を読み出して表示し、標準監視員５７に提示する。
【００２９】
サイトデータ送受信部５２は上位監視装置４０から送られてくるデータ取得要求あるいは操作履歴取得要求を受信し、これらの要求に応えてサイトデータベース５５からデータあるいは操作履歴を読み出して、要求元に送信する。また、上位監視装置４０から送られてくる熟練監視員１２の履歴情報を受け取り、サイトデータベース５５に格納する。さらに、他の監視装置とでデータや操作履歴を共有するために、他の監視装置にデータや操作履歴の送信を要求し、また送られてきたデータや操作履歴をサイトデータベース５５に格納する。
【００３０】
サイトデータベース５５は、データ収集部５４が収集したデータ、データ監視部５３から送られてくる標準監視員５７の操作履歴、上位監視装置４０、あるいは他のサイトから送られてくるデータおよび操作履歴情報を蓄積する。
【００３１】
上位データ送受信部４４は、サイトデータ送受信部５２が送信したデータおよび履歴情報を受信し、上位データベース４１に保存すると共に監視部４３に出力する。また、上位データベース４１に保存されている、熟練監視員１２の操作履歴情報をサイトデータ送受信部５２に送信する。さらに、サイトデータ送受信部５２から送られてくる標準監視員５７の操作履歴情報を上位データベース４１に保存する。
【００３２】
監視部４３は、上位データ送受信部４４から送られてくる、被監視部５６のデータを表示する。熟練監視員１２はこの表示されたデータを見て、被監視部５６の状況を把握する。また、上位データベース４１から標準監視員５７の操作履歴情報を読み出し、表示する。
【００３３】
診断部４２は診断のためのアプリケーション群であり、サイトデータ送受信部５２から送られてくるデータ、あるいは上位データベース４１から読み出したデータを用いて、被監視部５６の状況を診断する。この診断結果は熟練監視員１２が利用する。
【００３４】
上位データベース４１は、監視装置５１から送られてきたデータと標準監視員５７の操作履歴、および熟練監視員１２の操作履歴を保存する。
【００３５】
次に、この実施例の動作を説明する。監視装置５１内のデータ収集部５４は被監視部５６からデータを収集し、この収集したデータをサイトデータベース５５に格納すると共に、データ監視部５３に出力する。データ監視部５３はデータ収集部５４が収集したデータおよびサイトデータベース５５から読み出したデータを表示する。標準監視員５７は、この表示されたデータに基づいて被監視部５６を監視する。
【００３６】
データ監視部５３は、標準監視員５７の操作履歴をサイトデータベース５５に保存する。また、データ監視部５３は、サイトデータベース５５に保存されている標準監視員５７および熟練監視員１２の操作履歴を表示する。標準監視員５７は、これら表示された操作履歴を参考にして、被監視部５６を監視する。
【００３７】
サイトデータ送受信部５２はサービスとして動作しており、上位監視装置４０とのインターフェイスとしての機能を有する。サイトデータ送受信部５２は、上位監視装置４０の要求に応じてデータベース５５に保存されているデータあるいは操作履歴を上位監視装置４０に送信する。また、上位監視装置４０から送られてきた熟練監視員１２の操作履歴をサイトデータベース５５に保存する。
【００３８】
上位監視装置４０内の上位データ送受信部４４は、定期的に監視装置５１に要求を送信して被監視部５６のデータを収集し、この収集したデータを上位データベース４１に保存すると共に、監視部４３に出力する。
【００３９】
監視部４３は上位データ送受信部４４から送られてきたデータを表示する。熟練監視員１２は、この表示されたデータに基づいて、複数のサイト５０ａ〜５０ｎを監視する。監視部４３は熟練監視員１２が行った監視の履歴情報を上位データベース４１に保存する。また、サイト５０ａ〜５０ｎに常駐している標準監視員の操作履歴を上位データベース４１から取り出し、表示する。
【００４０】
熟練監視員１２は、必要に応じて診断部４２を用い、より高度な監視を行う。診断部４２は、診断機能等を有するアプリケーションプログラムの集まりである。これらのアプリケーションは、上位データベース４１に保存されているデータを用いて、サイト５０ａ〜５０ｎ内の被監視部の診断等を行う。また、診断に必要なデータを、サイトデータ送受信部５２を経由して、監視装置５０に要求することができる。監視装置５０は、この要求に応じて指定されたデータを上位監視装置４０に送信する。
【００４１】
上位データベース４１にはサイト５０ａ〜５０ｎから送られてきたデータが保存される。また、監視部４３から送られてきた熟練監視員１２の操作履歴、あるいはサイト５０ａ〜５０ｎから送られてきた標準監視員の操作履歴を保存する。さらに、上位データ送受信部４４、サイトデータ送受信部５２を経由して送られてきた履歴情報要求に応じて、保存している操作履歴から該当履歴を探し出し、要求元に送信する。
【００４２】
なお、複数の監視装置が相互にデータや操作履歴を共有することもできる。そのために、サイトデータ送受信部５２は他の監視装置にデータおよび操作履歴の送信要求を送信し、また他の監視装置からこれらの送信要求があると、サイトデータベース５５から該当データを読み出して、要求元の監視装置に送信する。さらに、他の監視装置から送られてきたデータや操作履歴をサイトデータベースに格納する。これらのデータは、標準監視員５７の要求により、データ監視部５３で表示される。
【００４３】
図３に本発明の応用例を示す。図３において、６０は集中監視センターであり、上位監視装置６１が配置されている。上位監視装置６１は、図２の上位監視装置４０と同様の機能を有する。なお、図示していないが、上位監視装置６１には熟練監視員が常駐している。
【００４４】
７０ａ〜７０ｎは、例えば燃料電池プラントのように、同種のプラントではあるが実装が異なるプラントである。プラント７０ａ〜７０ｎのそれぞれには、監視装置７１ａ〜７１ｎが配置されている。監視装置７１ａ〜７１ｎは図２の監視装置５１と同様の機能を有する。図示していないが、監視装置７１ａ〜７１ｎのそれぞれには標準監視員が常駐している。
【００４５】
標準監視員は、自身の監視対象プラントに配置されている監視装置を用いて当該プラントを監視する。上位監視装置６１は定期的に要求を送信し、プラント７０ａ〜７０ｎのデータを収集して保存する。また、標準監視員の操作履歴も保存する。熟練監視員は、これら保存されたデータを用いて、より高度な監視を行う。また、熟練監視員の操作履歴は監視装置７１ａ〜７１ｎに送信される。標準監視員は、熟練監視員の操作履歴を参照し、自身のノウハウ蓄積に利用する。
【００４６】
なお、これらの構成は燃料電池プラントだけでなく、他のプラント監視にも応用できる。例えば、産業ガス供給会社はガスを供給するプラントに自社関連のガス供給施設を有しており、このガス供給施設だけを監視する必要がある。この場合、監視装置７１ａ〜７１ｎの監視対象をこのガス供給施設に限定することによって、目的を達成することができる。
【図面の簡単な説明】
【００４７】
【図１】本発明の一実施例を示す概念図である。
【図２】本発明の一実施例を示す構成図である。
【図３】本発明の応用を示す構成図である。
【図４】従来の、サイト監視システムの構成図である。
【符号の説明】
【００４８】
１２  熟練監視員
４０、６１  上位監視装置
４１  上位データベース
４２  診断部
４３  監視部
４４  上位データ送受信部
５０、５０ａ〜５０ｎ  サイト
５１、５１ａ〜５１ｎ、７１ａ〜７１ｎ  監視装置
５２  サイトデータ送受信部
５３  データ監視部
５４  データ収集部
５５、５５ａ〜５５ｎ  サイトデータベース
５６  被監視部
５７、５７ａ〜５７ｎ  標準監視員
６０  集中監視センター
７０ａ〜７０ｎ  プラント
【図１】
2008040648.tif 000003
【図２】
2008040648.tif 000004
【図３】
2008040648.tif 000005
【図４】
2008040648.tif 000006